(57)【要約】【課題】折り畳み式照明器具において、発光体による光照射可能範囲を広くする。【解決手段】折り畳み式照明器具１は、面状の発光体２と、発光体２を第１の軸３１の周りに回動自在に支持するアーム３と、アーム３を第２の軸３２の周りに回動自在に支持し、アーム３を倒したときに発光体２が載せられる本体４と、を備える。第１の軸３１は、発光体２を第１の軸３１に沿って移動自在とする二重軸構造とされている。発光体２は、上記のように移動して回動するときにアーム３と干渉する部位に干渉防止用のスリット２ｂを有する。発光体２は第１の軸３１の周りに回動できると共に、第１の軸３１に沿って移動でき、又はさらにその移動した状態で回動できる。しかも、アーム３の発光体２への干渉をスリット２ｂにより防止でき、発光体２の回動が制限されるのを防げる。このため、光照射可能範囲を広くすることができる。【選択図】図７
2010009829.tif 000002
【特許請求の範囲】
【請求項１】
面状の発光体と、
前記発光体をアーム先端側回動軸の周りに回動自在に支持するアームと、
前記アームをアーム基端側回動軸の周りに回動自在に支持し、該アームを倒したときに前記発光体が載せられる載せ面を有する本体と、を備え、
前記発光体が前記本体の載せ面に載せられた折り畳み状態と、前記アームを起こして前記発光体を前記本体の載せ面から離した展開状態とを有する折り畳み式照明器具において、
前記アーム先端側回動軸は、前記展開状態で前記発光体の発光面と本体の載せ面とがなす角を可変とし、かつ該発光体を該アーム先端側回動軸に沿って移動自在とする二重軸構造とされ、
前記発光体は、前記展開状態で前記二重軸構造により移動して回動するときに前記アームと干渉する部位に干渉防止用のスリットが設けられていることを特徴とする折り畳み式照明器具。
【請求項２】
前記発光体から発せられる光を配光制御するための板状の透光部材を備え、
前記透光部材は、前記折り畳み状態で前記アームに保持されて前記発光体と本体との間に挟まれており、前記展開状態で前記アームと発光体の側縁に沿って該発光体の前面へスライド移動可能とされていることを特徴とする請求項１に記載の折り畳み式照明器具。
【請求項３】
前記発光体は、可撓性を有し、前記アーム先端側回動軸方向の寸法が可変とされており、該寸法が小さくされたとき該発光体の面が膨出することを特徴とする請求項１又は請求項２に記載の折り畳み式照明器具。
【発明の詳細な説明】
【技術分野】
【０００１】
本発明は、本体から延びたアーム先端に発光体が取り付けられた折り畳み式照明器具に関する。
【背景技術】
【０００２】
従来から、上面が開口した箱状の本体と、この本体の開口を塞ぐ蓋状に形成され、下部にランプが配設された発光体と、上記本体の内底と照明器具の下面に連結された折り畳み可能な連結杵とを備え、連結杵が延ばされたとき、発光体は本体の上方に位置して発光体下方を照らし、連結杵が折り畳まれたとき、その連結杵は本体に収納され、発光体と本体とが上下に重ね合わされる折り畳み式照明器具が知られている（例えば、特許文献１参照）。この照明器具は、連結杵を延ばしたときに電気スタンドとして利用でき、連結杵を折り畳んだときにはコンパクトになり、携帯し易くなる。また、本体に小物等を収納できるので、携帯用ケースとしても有用である。
【０００３】
ところで、上記の折り畳み式照明器具においては、連結杵が互いに回動自在に連結された上位杵及び下位杵で構成され、上位杵の上端が発光体を回動自在に枢支し、台座が下位杵の下端を回動自在に枢支している。このため、発光体、上位杵及び下位杵をそれぞれ回動させることで、それぞれの回動軸の周りに光照射方向を変更できる。しかしながら、回動軸の周りにしか光照射方向を変更できないので、光照射可能範囲が制限される。
【特許文献１】実開平３−１２７７１１号公報
【発明の開示】
【発明が解決しようとする課題】
【０００４】
本発明は、上記の従来の問題を解決するためになされたものであり、発光体による光照射可能範囲を広くすることができる折り畳み式照明器具を提供することを目的とする。
【課題を解決するための手段】
【０００５】
上記目的を達成するために請求項１の発明は、面状の発光体と、前記発光体をアーム先端側回動軸の周りに回動自在に支持するアームと、前記アームをアーム基端側回動軸の周りに回動自在に支持し、該アームを倒したときに前記発光体が載せられる載せ面を有する本体と、を備え、前記発光体が前記本体の載せ面に載せられた折り畳み状態と、前記アームを起こして前記発光体を前記本体の載せ面から離した展開状態とを有する折り畳み式照明器具において、前記アーム先端側回動軸は、前記展開状態で前記発光体の発光面と本体の載せ面とがなす角を可変とし、かつ該発光体を該アーム先端側回動軸に沿って移動自在とする二重軸構造とされ、前記発光体は、前記展開状態で前記二重軸構造により移動して回動するときに前記アームと干渉する部位に干渉防止用のスリットが設けられているものである。
【０００６】
請求項２の発明は、請求項１に記載の折り畳み式照明器具において、前記発光体から発せられる光を配光制御するための板状の透光部材を備え、前記透光部材は、前記折り畳み状態で前記アームに保持されて前記発光体と本体との間に挟まれており、前記展開状態で前記アームと発光体の側縁に沿って該発光体の前面へスライド移動可能とされているものである。
【０００７】
請求項３の発明は、請求項１又は請求項２に記載の折り畳み式照明器具において、前記発光体は、可撓性を有し、前記アーム先端側回動軸方向の寸法が可変とされており、該寸法が小さくされたとき該発光体の面が膨出するものである。
【発明の効果】
【０００８】
請求項１の発明によれば、発光体は、アーム先端側回動軸の周りに回動できると共に、二重軸構造によりその回動軸に沿って移動でき、さらにその移動した状態で回動でき、しかも、アームの発光体への干渉をスリットにより防止して、アームによる発光体の回動制限を防ぐことができるので、光照射可能範囲を広くすることができる。
【０００９】
請求項２の発明によれば、透光部材を、アームに保持される位置から発光体の前面へスライド移動させることにより、配光制御を行うことができ、しかも、その配光制御は透光部材をスライド移動するだけで行えるので、その操作が容易となる。
【００１０】
請求項３の発明によれば、発光体を撓ませるだけで配光を調整できるので、その調整が容易となる。
【発明を実施するための最良の形態】
【００１１】
本発明の各種実施形態に係る折り畳み式照明器具（以下、照明器具という）について図面を参照して説明する。
（第１の実施形態）
図１（ａ）〜（ｄ）は、本発明の第１の実施形態に係る照明器具とその各種状態とを示す。本実施形態の照明器具１は、面状の発光体２と、発光体２をアーム先端に保持する一対のアーム３と、これらのアーム３を支持する本体４と、を備える。アーム３は、その先端側回動軸３１（以下、第１の軸３１という）の周りに発光体２を回動自在に支持する。本体４は、アーム３をその基端側回動軸３２（以下、第２の軸３２という）の周りに回動自在に支持しており、アーム３を倒したときに発光体２が載せられる載せ面４ａを有する。
【００１２】
照明器具１は、図１（ａ）に示されるように発光体２が本体４の載せ面４ａに載せられた折り畳み状態と、図１（ｂ）〜（ｄ）に示されるようにアーム３を起こして発光体２を本体４の載せ面４ａから離した展開状態とを有する。第１の軸３１は、上記展開状態で発光体２の発光面２ａと本体４の載せ面４ａとがなす角を可変とし、かつ発光体２を第１の軸３１に沿って移動自在とする二重軸構造とされている。発光体２は、上記展開状態で上述の二重軸構造により移動して回動するときにアーム３と干渉する部位に干渉防止用のスリット２ｂが設けられている。
【００１３】
発光体２は、薄板状で横長の略長方形の面状光源２１と、面状光源２１の周縁を保持し、かつその背面を覆うカバー２２とで構成される。面状光源２１は有機ＥＬパネルで構成することができる。カバー２２の形状も横長の略長方形の薄板状とし、カバー２２の長辺方向の寸法を例えば略４０ｍｍ以上略１５０ｍｍ以下とする。
【００１４】
本体４は、筐体４１と、筐体４１の上部に一体形成されたクリップ部４２とを含む。一対のアーム３は、筐体４１の後部の両側端付近に、それぞれ、基端部が回動自在に連結されている。アーム３の基端部に設けられた孔と、筐体４１の後部に設けられた孔とに枢軸４３を挿通させることで、アーム３と筐体４１とは互いに回動自在とされている。このようにして枢軸４３は第２の軸３２を構成する。
【００１５】
アーム３の基端部の孔、筐体４１後部の孔、及び枢軸４３は、アーム３を回動させたときに、互いの間に摩擦力が働き、アーム３及び筐体４１の回動が制動され、発光体２及びアーム３の重みによる回動が抑制されるように、それぞれの径が調整されている。これにより、アーム３は任意の傾きで保持可能とされている。
【００１６】
筐体４１の上面は上述の載せ面４ａを形成する。クリップ部４２は、載せ面４ａの周縁に沿って載せ面４ａの上方に形成されており、載せ面４ａとの間で、布又は紙等の薄い部材を挟むことが可能である。クリップ部４２の構成は上記に限定されない。筐体４１は平面視で略長方形であり、その長辺方及び短辺方向の寸法は発光体２よりも数ｍｍ〜数十ｍｍ程度大きくする。筐体４１の大きさは例えばパスポート又は携帯電話機程度であることが望ましい。
【００１７】
筐体４１には、アーム３内の電線を介して面状光源２１を点灯駆動させる駆動回路と、電源スイッチを含む各種操作スイッチと、ユーザによるその操作スイッチの操作に基づいて上述の駆動回路を制御して面状光源２１を点灯制御する制御回路と、これら回路及び面状光源２１へ給電する充電池又は電池とを収容している。面状光源２１が、複数のＥＬ素子を含む有機ＥＬパネルで構成される場合、上述の駆動回路は、各素子毎に素子への駆動電流を制御しても、一括で全素子への駆動電流を制御してもよい。アーム３及び本体４の材料は、プラスチック又はゴム等の樹脂組成物、若しくはアルミニウム合金、鉄又はマグネシウム合金等の金属等の割れ難い素材であることが望ましい。
【００１８】
図２（ａ）〜（ｃ）は、発光体２を示す。発光体２のカバー２２は、面状光源２１の周縁及び背面を覆うカバー本体２２ａと、カバー本体２２ａの長手方向の一辺に沿って設けられ、その辺の端から突出した突出部２２ｂと、上述の辺に沿って突出部２２ｂの先端に形成された枢軸２２ｃとを有する。枢軸２２ｃの長さは、図示のようにカバー２２の長辺方向の寸法よりも僅かに長く、又はそれと略同じにする。上述のスリット２ｂは、カバー２２の短手方向においては、展開状態で発光体２を枢軸２２ｃの軸方向に沿って移動させて回動させるときに上述のアーム３と干渉する部位に設けられている。また、スリット２ｂは、カバー２２の長手方向、すなわち枢軸２２ｃの軸方向の略中央部位に設けられており、その軸方向に延びて形成されている。カバー２２の材料は、上述のアーム３又は本体４と同様とする。
【００１９】
図３（ａ）（ｂ）は、照明器具１のアーム３の先端付近の構成を示す。アーム３は、その先端部３ａに、一方の側面から他方の側面へ貫通した孔３ｂを有する。孔３ｂは断面視で頂部が欠けた略円形状である。孔３ｂには、発光体２の枢軸２２ｃを軸支するための軸受３３が挿入されており、軸受３３は、断面視略Ｃ字状で、かつ両側端が開口した略円筒状であり、孔３ｂ内で回動自在とされている。軸受３３の両端部は、一対のアーム３の孔３ｂにそれぞれ挿入される。軸受３３は一対のアーム３の先端部３ａに架けられ、軸支され、本体４の載せ面４ａ（上記図１を参照）と略平行とされる。軸受３３には発光体２の枢軸２２ｃが挿通されて、軸受３３は枢軸２２ｃを回動自在に、かつ軸受３３の軸方向にスライド移動自在に支持する。このようにして、枢軸２２ｃ及び軸受３３は、発光体２をアーム３に対して回動自在とし、発光体２の発光面２ａと本体４の載せ面４ａとがなす角を可変とし、第１の軸３１を構成する。また、枢軸２２ｃ及び軸受３３は、上述の展開状態における枢軸２２ｃの軸受３３に沿った移動、すなわち発光体２の移動を可能とする二重軸構造を構成する。発光体２の回動可能な角度範囲は例えば略３６０度とする。軸受３３の軸方向への移動は、アーム３の先端部３ａに設けられたストッパ等により制限されていることが望ましい。
【００２０】
孔３ｂ及び軸受３３は、発光体２を回動させたときに、互いの間に摩擦力が働き、軸受３３の回動が制動され、発光体２の重みによる回動が抑制されるように、それぞれの径が調整されている。これにより、発光体２は任意の傾きで保持可能とされている。
【００２１】
アーム３の先端部３ａの上面には、孔３ｂの軸方向と平行に、孔３ｂと繋がってスリット３ｃが設けられている。スリット３ｃは、発光体２を軸受３３に沿って移動させるときに発光体２の突出部２２ｂを通すためのものであり、スリット３ｃの幅は、発光体２の突出部２２ｂの幅よりも僅かに広い程度が望ましい。アーム３の長さは、発光体２の短手方向の寸法と略等しい。アーム３は中空に形成されており、その中には面状光源２１から導出されて本体４内の回路と接続される電線が収容されている。
【００２２】
図４（ａ）（ｂ）は、面状光源２１を構成する有機ＥＬパネル２１ａを示す。有機ＥＬパネル２１ａの端には、外部電源と電気的に接続するための電気接点２１ｂが発光面２ａ側に例えば２個配設されている。電気接点２１ｂは非発光面側に設けられていてもよい。電気接点２１ｂは、例えば、金属を鍍金又は蒸着する、金属板を貼り付ける、若しくはプラスチックに導電性材料を混合して成形することで形成される。
【００２３】
有機ＥＬパネル２１ａは、ＩＴＯ（酸化インジウムすず）等を材料とした透明な導電性薄膜から成る透明電極２１ｃと、アルミニウム等で形成された板状の金属電極２１ｄとの間に、有機発光層２１ｅが設けられて成る。透明電極２１ｃは透明な保護カバー２１ｇにより覆われ、透明電極２１ｃ、金属電極２１ｄ及び有機発光層２１ｅは金属電極２１ｄ側から封止カバー２１ｆにより封止されている。透明電極２１ｃ及び金属電極２１ｄには、上述の２個の電気接点２１ｂが１個ずつ接続されている。有機発光層２１ｅは各色ＥＬ素子で構成され、各色毎に調光制御されて白色光を照射することが望ましいが、照射光色はこれに限定されない。各色ＥＬ素子は積層されていても、又は並設されていてもよい。
【００２４】
次に、上記のように構成された照明器具１の各種使用方法について図５〜図９を参照して説明する。図５（ａ）（ｂ）及び図６（ａ）（ｂ）は、一使用例として、照明器具１を机等の上に置いて使用するときの様子を示す。上記図５と図６とでは、発光体及びアームのそれぞれの傾きが異なる。ユーザは本体４を机等の上に置いて、アーム３を起こし、発光体２を本体４の載せ面４ａから離して、上述の展開状態とする。そして、図示のように本体４の載せ面４ａ上に、又は本体４の前に、雑誌又は本等（以下、雑誌等という）を開いて置き、発光体２の発光面２ａを紙面に向ける。発光体２の発光面２ａは、上述の状態で電源がオンされると点灯して紙面を照明する。ユーザは、紙面の大きさに合わせてアーム３を傾きを調整して、発光体２と紙面との間の距離を調整する。上記図５に示されるように、紙面が小さい場合にはアーム３の傾きを大きくして発光体２を紙面に近づけ、上記図６に示されるように、紙面が大きい場合にはアーム３の傾きを少なくして発光体２を紙面から遠ざける。アーム３の傾きに加えて発光体２の傾きも調整して、配光を制御し、紙面全体が照明されるようにする。
【００２５】
図７は、上記使用例において発光体２を第１の軸３１に沿って移動させた状態を示す。発光体２とアーム３とが側面視で略直線に配置されたとき、発光体２は、第１の軸３１の軸方向に押されると、その方向に移動する。このように発光体２を移動させるためには、上記図３（ｂ）に示されるように、発光体２の突出部２２ｂの位置をアーム３のスリット３ｃに合わせてから、発光体２を第１の軸３１の軸方向に押す必要がある。発光体２が押されると、突出部２２ｂはスリット３ｃ内を通り、発光体２の枢軸２２ｃは軸受３３内をスライド移動し、発光体２全体は第１の軸３１の軸方向に移動する。発光体２はその移動した状態で点灯する。ユーザが発光体２を移動させ、スリット２ｂをアーム３の先端部３ａの位置に対応させた状態で、ユーザが発光体２を第１の軸３１の周りに回動させると、アーム３の先端部３ａはスリット２ｂ内を通る。発光体２はアーム３により回動が制限されることなく、さらに回動し、第１の軸３１の周りに光照射方向が変更される。
【００２６】
図８は、上記とは別の使用例として、照明器具１をクリップ部４２により衣服の胸ポケットＰ１に取り付けて使用する使用例を示す。ユーザＵ１は、本体４を衣服の胸ポケットＰ１内に差し込んでクリップ部４２で胸ポケットＰ１を挟み、そして発光体２を胸ポケットＰ１から出す。発光体２は電源がオンされると点灯して、ユーザＵ１の前方へ光を照射（光照射範囲例を破線で示す）し、そこに置かれたパソコン等を照らす。
【００２７】
図９は、上記とはさらに別の使用例として、照明器具１をクリップ部４２により雑誌等に取り付けて使用する使用例を示す。ユーザＵ１は、クリップ部４２を用いて雑誌Ｂ１の見開き上部を挟み、アーム３を起こし、さらに発光体２を起こして発光面を紙面へ向ける。発光体２は電源がオンされる点灯して、紙面へ光を照射する。
【００２８】
本実施形態においては、発光体２を第１の軸３１の周りに回動させて、その回動軸の周りに光照射方向を変更することができる。さらに、第１の軸３１の二重軸構造によりその第１の軸３１に沿って発光体２を移動させ、又はさらにその状態で発光体２を回動させて、光照射方向を変更することができる。しかも、アーム３による発光体２への干渉をスリット２ｂにより防止して、アーム３による発光体２の回動制限を防ぐことができる。このため、光照射可能範囲を広くすることができる。
【００２９】
また、クリップ部４２でもって衣服の胸ポケットＰ１又は雑誌等に固定できるので、手に持つことなく、又は置き場所がない場合であっても使用することができる。
【００３０】
また、図１０に示されるように、雑誌Ｂ１等における見開き紙面の片方の頁の上部をクリップ部４２で挟んだ場合において、発光体２を第１の軸３１に沿って移動させて、見開き紙面の横方向の略中央に発光体を移動させることができる。このため、見開き紙面が見開き紙面全体に光を照射することができる。
【００３１】
なお、発光体２は、横長の略長方形に限定されず、例えば、図１１に示されるように、縦長の略長方形であってもよい。この場合、アーム３の長さは、発光体２の長手方向の寸法と略等しくし、本体４の筐体４１の平面視形状は、略縦長の略長方形とする。
【００３２】
また、面状光源２１をカバー２２に取り付ける方法としては、例えば、機械的に嵌合する方法、又は接着材で張り合わせる方法等がある。取り付け後に面状光源２１をカバー２２から分離できる方法を選択した場合、例えば面状光源２１だけを交換してカバー２２を再利用することが可能となり、交換費用の低減を図ることができる。また、材料の異なる面状光源２１とカバー２２とを分別処分することができ、従ってそれらの再資源化が可能となり、地球環境の保護に貢献できる。
【００３３】
また、面状光源２１とカバー２２との間に、面状光源２１の周縁に沿って又はその縁の一部にゴム等の緩衝部材が設けられていてもよい。この場合、発光体２の強度及び耐衝撃性の向上を図ることができる。また、緩衝部材を導電性材料で形成し、緩衝部材における電気接点２１ｂとの接触部分以外を絶縁被覆してもよい。
【００３４】
また、面状光源２１は、図１２に示されるように、複数のＬＥＤ２１ｇが配設されて成るＬＥＤパネルで構成されていてもよい。ＬＥＤ２１ｇは、例えば赤色ＬＥＤ、緑色ＬＥＤ、又は青色ＬＥＤで構成される。ＬＥＤ２１ｇが複数色のＬＥＤで構成される場合、各色ＬＥＤへの供給電流を制御することで、照明光の色成分を変化させることが可能となる。
【００３５】
また、面状光源２１が上述のＬＥＤパネルで構成される場合、各ＬＥＤ２１ｇは独立して制御回路により点灯制御されても構わない。この場合、制御回路は、照明光の発光強度が異なる複数の発光パターンを予め記憶したＲＯＭ又はＲＡＭ等を内蔵したワンチップマイコンで構成される。このワンチップマイコンは、操作スイッチの操作に応じて発光パターンを選択し、その選択した発光パターンに応じて、各ＬＥＤ２１ｇへの供給電流値、又は各ＬＥＤ２１ｇへのＰＷＭ制御信号のデューティ比等を増減制御する。
【００３６】
また、各アーム３は、図１３（ａ）〜（ｃ）に示されるように、上位アーム３４と下位アーム３５とで構成され、上位アーム３４と下位アーム３５とはそれぞれの一端部が回動自在に連結されていてもよい。この場合、上記図１３（ａ）に示されるように、折り畳み状態では上位アーム３４と下位アーム３５とがそれらの連結箇所で折り畳まれて本体４の載せ面４ａに載せられる。上記図１３（ｂ）（ｃ）に示されるように、展開状態では、上位アーム３４と下位アーム３５とが伸ばされ、発光体２が本体４から離される。
【００３７】
（第２の実施形態）
図１４（ａ）（ｂ）は、本発明の第２の実施形態に係る照明器具１を示す。本実施形態の照明器具１は、第１の実施形態と比べ、発光体２から発せられる光を配光制御するための略板状の透光部材５をさらに備える。透光部材５は、折り畳み状態でアーム３に保持されて発光体２と本体４との間に挟まれており、展開状態でアーム３と発光体２のカバー２２の側縁２２ｄとに沿って発光体２の前面へスライド移動可能とされている。
【００３８】
アーム３の内側の側面、すなわち一対のアーム３の対向する側面には、アーム３の延伸方向に沿って溝３ｄが設けられている。発光体２のカバー２２の側縁２２ｄすなわち側面にも、その側縁２２ｄに沿って溝２２ｅが設けられている。溝３ｄ、２２ｅは、アーム３と発光体２の側縁２２ｄとが側面視で略直線となる状態で一続きの溝となるように設けられている。
【００３９】
透光部材５は、シート状又はフイルム状の配光部材５１と、配光部材５１を両端から保持する保持部材５２とで構成される。配光部材５１は、その面積を発光体２の発光面２ａと略等しい面積とする。配光部材５１は、発光体２による出射光を所望の方向へ向けてそれに指向性を持たせ、又は出射光による照度を均一とする。配光部材５１による配光特性は上記に限定されない。配光部材５１の材料は、プラスチック等の樹脂組成物、又はガラス等とすることができるが、プラスチック等の割れ難い素材であることが望ましい。
【００４０】
保持部材５２は、折り畳み状態でアーム３の溝３ｄと係合する突出部５２ａと、展開状態で配光部材５１を発光体２の前面へ移動させるときに発光体２の溝２２ｅと係合する突出部５２ｂとを有する。突出部５２ａ、５２ｂは、それぞれ、アーム３の溝３ｄ及び発光体２の溝２２ｅ内をスライド移動し、発光体２の移動をガイドする。保持部材５２の突出部５２ｂと発光体２の溝２２ｅとは、係合時に互いの間に摩擦力が働いて保持部材５２が制動され、透光部材５の自重によるスライド移動が抑制されるように大きさ及び形状が調整されている。これにより、透光部材５を発光体２の前面で固定可能とされている。保持部材５２は、配光部材５１の両側縁に沿って設けられ、その長さはアーム３の長さ又は発光体２の短手方向の寸法よりも僅かに短い程度である。
【００４１】
次に、上記のように構成された照明器具１の使用方法について上記図１４（ｂ）に加えて図１５（ａ）〜（ｄ）を参照して説明する。まずここで、照明器具１は、図１５（ａ）に示されるように折り畳み状態にあるとする。この状態で、透光部材５は発光体２と本体４との間に挟まれている。ユーザは、図１５（ｂ）に示されるようにアーム３を起こし、さらに発光体２を回動させる。そして、図１５（ｃ）に示されるように、側面視でアーム３と発光体２の側縁とが略直線となる状態とする。その状態で、透光部材５を押し上げると、保持部材５の突出部５２ａはアーム３の溝３ｄ内を、そして、突出部５２ｂは発光体２の溝２２ｅ内をスライド移動し、図１５（ｄ）に示されるように、配光部材５１はガイドされて発光体２の発光面２ａの前面に配置され、突出部５２ｂと溝２２ｅとの間の摩擦力によりその状態で固定される。発光体２は電源がオンされると点灯し、配光部材５１は、発光体２から出射された光を配光する。
【００４２】
本実施形態においては、透光部材５を、アーム３に保持される位置から発光体２の前面へスライド移動させることにより、透光部材５による配光制御を行うことができる。しかも、その配光制御は透光部材５をスライド移動するだけで行えるので、制御に要する操作が容易である。
【００４３】
また、配光制御が不要なときには透光部材５を、アーム３に保持される位置に戻すことにより、用途に合わせて、発光体２からの直接光である拡散光を照射するか、又は透光部材５により配光制御された光を照射するかを切り替えることができる。
【００４４】
また、折り畳み状態で、透光部材５は発光体２と本体４との間に挟まれるので、傷つかないように配光部材５１を保護することができ、また、第１の実施形態と比べ、透光部材５がさらに設けられていてもコンパクトさを維持することができる。また、透光部材５は、アーム３に保持され、又はスライド移動して発光体２の側縁に固定されるので、透光部材５を着脱する必要がないので、別途携帯する必要がない。
【００４５】
（第３の実施形態）
図１６（ａ）（ｂ）は、本発明の第３の実施形態に係る照明器具１とその各種状態を示す。本実施形態の照明器具１は、第１の実施形態と比べ、発光体２が、可撓性を有し、第１の軸３１方向の寸法が可変とされている点で異なる。上記図１６（ａ）は発光体２が第１の軸３１方向に伸ばされた状態を示し、上記図１６（ｂ）は発光体２が撓んだ状態を示す。発光体２は、上述の寸法が小さくされて撓んだとき、図示のように発光体２の背面が膨出し、又は発光体２の前面すなわち発光面２ａが膨出する。
【００４６】
図１７（ａ）（ｂ）は、本実施形態の発光体２と、第１の軸３１を構成する軸受３３とを示す。本実施形態の発光体２のカバー本体２２ａは、面状光源２１の側縁及び背面を覆っており、フレキシブル性の高い樹脂組成物で構成される。枢軸２２ｃは、カバー本体２２ａにおいて面状光源２１の側縁を覆う部分の下部にのみ設けられている。
【００４７】
枢軸２２ｃは軸受３３内に挿嵌され、軸受３３の延伸方向にスライド移動自在とされる。枢軸２２ｃと軸受３３とは、互いの間に摩擦力が働いて枢軸２２ｃが制動され、撓ませた発光体２の反発力によるスライド移動を抑制するように大きさ及び形状が調整されている。これにより、枢軸２２ｃは所望の位置で固定可能とされている。
【００４８】
本実施形態においては、発光体２を撓ませるだけで、配光を調整することができ、その調整が容易となる。また、発光体２が撓んで、発光面２ａが前方に膨出した場合、配光は広がり、発光体２がその背面方向に膨出した場合には、配光が狭くなるので、配光の調整範囲を広くすることができる。
【００４９】
なお、本発明は、上記第１〜第３の実施形態の構成に限定されるものでなく、使用目的に応じ、様々な変形が可能である。例えば、発光体２及び本体４のそれぞれの形状は、照明器具１の全体を薄くできるのであれば、上記に制限されない。また、アーム３の本数、形状及び長さは、上記に限定されない。また、第３の実施形態に係る発光体２及び軸受３３は、第２の実施形態の構成に付加されていてもよい。
【図面の簡単な説明】
【００５０】
【図１】（ａ）〜（ｄ）は本発明の第１の実施形態に係る折り畳み式照明器具とその各種状態を示す斜視図。
【図２】（ａ）は上記照明器具の発光体の斜視図、（ｂ）は（ａ）のＡ枠部分の拡大図、（ｃ）はその側面図。
【図３】（ａ）は上記照明器具のアーム先端付近の拡大斜視図、（ｂ）はその断面図。
【図４】（ａ）は上記発光体の斜視図、（ｂ）は（ａ）のＢ−Ｂ’線断面図。
【図５】（ａ）は上記照明器具の一使用例を示す斜視図、（ｂ）はその側面図。
【図６】（ａ）は上記使用例において発光体及びアームの傾きが異なる状態の斜視図、（ｂ）はその側面図。
【図７】上記使用例において発光体を移動させたときの斜視図。
【図８】上記とは別の使用例を示す斜視図。
【図９】上記とはさらに別の使用例を示す斜視図。
【図１０】上記使用例における作用を説明するための斜視図。
【図１１】上記照明器具の一変形例を示す斜視図。
【図１２】上記発光体の一変形例を示す斜視図。
【図１３】（ａ）〜（ｃ）は上記照明器具における別の変形例とその各種状態を示す斜視図。
【図１４】（ａ）は本発明の第２の実施形態に係る折り畳み式照明器具を示す斜視図、（ｂ）は（ａ）のＣ枠部分の拡大斜視図。
【図１５】（ａ）〜（ｄ）は上記照明器具における各種状態を示す斜視図。
【図１６】（ａ）（ｂ）は本発明の第３の実施形態に係る折り畳み式照明器具とその各種状態を示す斜視図。
【図１７】（ａ）は上記照明器具の発光体及び軸受の分解斜視図、（ｂ）は同発光体を軸受に装着した状態を示す斜視図。
【符号の説明】
【００５１】
１  折り畳み式照明器具
２  発光体
２ｂ  スリット
２２  カバー
２２ｃ  枢軸
２２ｄ  カバーの側縁
３  アーム
３１  アーム先端側回転軸
３２  アーム基端側回転軸
３３  軸受
４  本体
４ａ  載せ面
４３  枢軸
５  透光部材
【図１】
2010009829.tif 000003
【図２】
2010009829.tif 000004
【図３】
2010009829.tif 000005
【図４】
2010009829.tif 000006
【図５】
2010009829.tif 000007
【図６】
2010009829.tif 000008
【図７】
2010009829.tif 000009
【図８】
2010009829.tif 000010
【図９】
2010009829.tif 000011
【図１０】
2010009829.tif 000012
【図１１】
2010009829.tif 000013
【図１２】
2010009829.tif 000014
【図１３】
2010009829.tif 000015
【図１４】
2010009829.tif 000016
【図１５】
2010009829.tif 000017
【図１６】
2010009829.tif 000018
【図１７】
2010009829.tif 000019